(57)【要約】【課題】安価な装置を用い、熱変位が生じた場合であっても高精度な補正が可能な研削盤および研削方法を提供する。【解決手段】主軸中心軸から基準部材の基準面までの基準距離Ｒｊを予め記憶する。そして、研削加工を中断して、研削対象部と基準面とのそれぞれにタッチセンサを当接させ、それぞれのＸ軸座標値、すなわち第一相対位置Ｘ１および第二相対位置Ｘ２を測定する。さらに、第一相対位置Ｘ１と第二相対位置Ｘ２との差分ΔＸを算出する。そして、基準距離Ｒｊと差分ΔＸに基づいて、加工データを補正する。そして、補正された加工データに基づいて研削加工を再開する。【選択図】図１
2008279542.tif 000002
【特許請求の範囲】
【請求項１】
非真円形状または偏心形状のワークを主軸中心軸回りに回転可能に支持する主軸と、
砥石を前記主軸中心軸に平行な砥石軸回りに回転可能に支持し、前記主軸に対して前記主軸中心軸の直交方向に相対移動可能な砥石台と、
前記砥石台に取り付けられるタッチセンサと、
前記主軸中心軸から所定の基準距離の位置に配置される基準面を有する基準部材と、
予め前記基準距離を記憶する基準距離記憶部と、
１つの前記ワークの研削途中にて研削加工を中断して、前記基準面に前記タッチセンサを当接させた場合における前記主軸と前記砥石台との前記主軸中心軸の直交方向への第一相対位置と、前記ワークの研削部位のうち所定測定点に前記タッチセンサを当接させた場合における前記主軸と前記砥石台との前記主軸中心軸の直交方向への第二相対位置との差分を算出する差分算出部と、
前記基準距離および前記差分に基づいて前記ワークの加工データを補正する補正部と、
前記補正部により補正された前記加工データに基づいて前記主軸の回転角度および前記主軸と前記砥石台との相対位置を制御して、前記１つの前記ワークの研削加工を再開する制御部と、
を備えることを特徴とする研削盤。
【請求項２】
前記基準部材は、前記ワークに設けられている請求項１に記載の研削盤。
【請求項３】
前記ワークは、非真円形状または偏心形状からなる研削対象部と、中心軸が前記主軸中心軸に同軸上に位置する円筒状または円柱状からなるジャーナル部と、を備え、
前記基準部材は、ジャーナル部であり、
前記基準面は、前記ジャーナル部の外周面である請求項２に記載の研削盤。
【請求項４】
前記ワークは、複数の前記ジャーナル部を備え、
前記基準部材は、複数の前記ジャーナル部のうち前記研削対象部に最も近接する前記ジャーナル部である請求項３に記載の研削盤。
【請求項５】
前記基準距離記憶部は、前記ワーク毎に予め測定された前記基準距離を記憶する請求項２〜４の何れか一項に記載の研削盤。
【請求項６】
前記基準距離記憶部は、前記基準距離の設計寸法の公差中央値を記憶する請求項２〜４の何れか一項に記載の研削盤。
【請求項７】
前記所定測定点は、前記ワークの研削部位のうち、前記主軸中心軸と前記砥石軸とを通る平面上に位置するときに前記砥石により研削加工される点である請求項１〜６の何れか一項に記載の研削盤。
【請求項８】
前記ワークは、ベース円部を有する形状からなり、
前記所定測定点は、前記ベース円部である請求項７に記載の研削盤。
【請求項９】
非真円形状または偏心形状のワークを主軸中心軸回りに回転可能に支持する主軸と、
砥石を前記主軸中心軸に平行な砥石軸回りに回転可能に支持し、前記主軸に対して前記主軸中心軸の直交方向に相対移動可能な砥石台と、
前記砥石台に取り付けられるタッチセンサと、
前記主軸中心軸から所定の基準距離の位置に配置される基準面を有する基準部材と、
を備え、
予め前記基準距離を記憶する基準距離記憶工程と、
１つの前記ワークの加工データに基づいて、前記主軸の回転角度および前記主軸と前記砥石台との相対位置を制御して、前記１つの前記ワークの研削加工を行う第一研削工程と、
前記第一研削工程における研削加工を中断して、前記基準面に前記タッチセンサを当接させた場合における前記主軸と前記砥石台との前記主軸中心軸の直交方向への第一相対位置と、前記ワークの研削部位のうち所定測定点に前記タッチセンサを当接させた場合における前記主軸と前記砥石台との前記主軸中心軸の直交方向への第二相対位置との差分を算出する差分算出工程と、
前記基準距離および前記差分に基づいて前記加工データを補正する補正工程と、
前記補正工程にて補正された前記加工データに基づいて前記主軸の回転角度および前記主軸と前記砥石台との相対位置を制御して、前記１つの前記ワークの研削加工を再開する第二研削工程と、
を備えることを特徴とする非真円形状または偏心形状のワークの研削方法。
【発明の詳細な説明】
【技術分野】
【０００１】
本発明は、非真円形状または偏心形状のワークを研削する研削盤およびその研削方法に関するものである。
【背景技術】
【０００２】
従来の非真円形状または偏心形状のワークを研削盤として、例えば、実開平５−９３７５７号公報（特許文献１）および特開平１０−１５６６９２号公報（特許文献２）に記載されたものがある。特許文献１に記載の研削盤は、ワークの素材形状が加工プログラムの形状と一致するかどうかを、研削加工前にタッチセンサをワークの素材に当接することで判断している。そして、一致している場合に限り、研削加工を開始するというものである。また、特許文献２に記載の研削盤は、一対の測定子を備える定寸装置によりワークの外形寸法を測定し、測定結果に基づいて加工データを補正するというものである。
【特許文献１】実開平５−９３７５７号公報
【特許文献２】特開平１０−１５６６９２号公報
【発明の開示】
【発明が解決しようとする課題】
【０００３】
特許文献１に記載の測定結果に基づいて加工データを補正することも考えられる。ここで、特許文献１に記載の測定においては、タッチセンサは砥石台に取り付けられ、ワークは主軸に取り付けられている。従って、主軸と砥石台との間に熱変位が生じた場合には、タッチセンサによる測定結果にずれが生じる。そのため、高精度な補正を行うことができない。また、特許文献２に記載の定寸装置によれば、主軸と砥石台との間に熱変位が生じたとしても、その影響は受けないため、高精度な補正が可能となる。しかし、定寸装置は非常に高価である。
【０００４】
本発明は、このような事情に鑑みてなされたものであり、安価な装置を用い、熱変位が生じた場合であっても高精度な補正が可能な研削盤および研削方法を提供することを目的とする。
【課題を解決するための手段】
【０００５】
<研削盤>
本発明の研削盤は、非真円形状または偏心形状のワークを主軸中心軸回りに回転可能に支持する主軸と、砥石を主軸中心軸に平行な砥石軸回りに回転可能に支持し、主軸に対して主軸中心軸の直交方向に相対移動可能な砥石台と、砥石台に取り付けられるタッチセンサと、主軸中心軸から所定の基準距離の位置に配置される基準面を有する基準部材と、予め基準距離を記憶する基準距離記憶部と、１つのワークの研削途中にて研削加工を中断して、基準面にタッチセンサを当接させた場合における主軸と砥石台との主軸中心軸の直交方向への第一相対位置と、ワークの研削部位のうち所定測定点にタッチセンサを当接させた場合における主軸と砥石台との主軸中心軸の直交方向への第二相対位置との差分を算出する差分算出部と、基準距離および差分に基づいてワークの加工データを補正する補正部と、補正部により補正された加工データに基づいて主軸の回転角度および主軸と砥石台との相対位置を制御して、１つのワークの研削加工を再開する制御部と、を備えることを特徴とする。
【０００６】
本発明の研削盤において、熱変位や砥石摩耗などによる加工誤差が全くないとした場合には、主軸中心軸から基準面までの基準距離とワークの研削部位における設計値との差分は、第一相対位置と第二相対位置との差分に一致する。ここで、主軸中心軸から基準面までの基準距離は、予め記憶されている。つまり、この基準距離は、研削盤およびワークの熱変位に全く無関係のもの、すなわち、研削盤およびワークの熱変位の影響を全く受けていないものである。また、ワークの研削部位における設計値とは、補正されていない加工データにより得られるワークの研削部位における寸法に相当する。従って、主軸中心軸から基準面までの基準距離とワークの研削部位における設計値との差分は、既知である。一方、第一相対位置と第二相対位置とは、タッチセンサに該当部位に当接させることで測定される。
【０００７】
そして、本発明の研削盤において、第一相対位置および第二相対位置を測定するためのタッチセンサは、砥石台に取り付けられている。そのため、主軸と砥石台との間に熱変位が生じた場合には、特許文献１と同様に、タッチセンサによる測定結果そのものは、熱変位の影響を受ける。つまり、タッチセンサにより測定される第一相対位置および第二相対位置のそれぞれは、熱変位の影響を受けている。しかし、第一相対位置と第二相対位置との差分、すなわち、熱変位の影響を受けたもの同士の差分は、熱変位の影響をほとんど排除されたものとなる。つまり、第一相対位置と第二相対位置との差分は、主軸と砥石台との間に熱変位が生じている場合であっても、熱変位が生じていない場合であっても、同じ値となる。
【０００８】
このように、主軸中心軸から基準面までの基準距離、および、第一相対位置と第二相対位置との差分は、何れも、熱変位の影響を受けないものとなる。従って、本発明の研削盤において、熱変位や砥石摩耗などによる加工誤差が全くないとした場合には、測定の際に熱変位が生じているか否かに関わりなく、主軸中心軸から基準面までの基準距離とワークの研削部位における設計値との差分は、第一相対位置と第二相対位置との差分に一致する。
【０００９】
一方、熱変位や砥石摩耗などによる加工誤差がある場合には、ワークの研削部位における実際の寸法が、ワークの研削部位における設計値に対してずれることになる。この場合、主軸中心軸から基準面までの基準距離とワークの研削部位における設計値との差分と、第一相対位置と第二相対位置との差分とが、一致しない。ここで、第一相対位置と第二相対位置との差分は、上述したように、主軸と砥石台との間に熱変位が生じている場合であっても、熱変位が生じていない場合であっても、同じ値となる。従って、両差分のずれ量は、熱変位が生じている場合であっても、熱変位が生じていない場合であっても、変わらない。
【００１０】
そして、この両差分のずれ量を、本発明の補正部において補正することで、ワークの研削部位における実際の寸法が、設計値に一致するようにできる。つまり、熱変位の影響を受けない主軸中心軸から基準面までの基準距離、および、第一相対位置と第二相対位置との差分に基づいて、補正量を算出することで、主軸と砥石台との間に熱変位が生じていたとしても、その補正量は熱変位の影響を受けないようにすることができる。そして、この補正量に基づいて加工データを補正している。従って、高精度な研削加工が可能となる。また、本発明の研削盤においては、測定に際して砥石台に取り付けられたタッチセンサを用いており、定寸装置に比べて非常に安価である。
【００１１】
また、本発明の研削盤において、基準部材は、ワークに設けてもよいし、例えば、主軸台や心押台、さらにはベッドに設けてもよい。特に、基準部材は、ワークに設けられることが好ましい。この場合には、基準部材の基準面とワークの研削部位のうち所定測定点との離間距離を短くできる。従って、タッチセンサを基準部材の基準面に当接させた後に、タッチセンサをワークの研削部位のうち所定測定点に当接させるまでの時間が短くできる。仮に、タッチセンサを基準部材の基準面に当接させた後に、タッチセンサをワークの研削部位のうち所定測定点に当接させるまでの時間が長いと、その間に熱変位が生じるおそれがある。そうすると、第一相対位置と第二相対位置との差分が、熱変位の影響を受けたものとなってしまう。そこで、基準部材をワークに設け、タッチセンサが両当接位置間を移動する時間を短くできることで、タッチセンサが両当接位置間を移動する際に生じる熱変位の影響を抑制できる。つまり、より高精度な研削加工が可能となる。
【００１２】
さらに、基準部材をワークのように主軸中心軸を跨いで配置される部材に設けることにより、基準部材自体に熱変位（熱膨張）が生じた場合に以下の効果を奏する。基準部材をワークに設ける場合、基準部材を含むワークの中心線が、主軸中心軸に一致している。そうすると、基準部材は、主軸中心軸を跨いで、タッチセンサ側と、タッチセンサの反対側とに設けられることになる。そのため、基準部材自体に熱変位（熱膨張）が生じた場合に、基準部材を含むワークは、主軸中心軸から、タッチセンサ側の部分と、タッチセンサの反対側の部分とが、それぞれ均等に熱膨張することになる。従って、主軸中心軸から基準面までの離間距離は、ワーク全体の熱膨張の半分となる。一方、基準部材を例えば主軸台に設けた場合に、基準部材自体が熱膨張すると、基準部材が熱膨張全体の影響をそのまま受ける。このように、ワークに基準部材を設けることで、基準部材自体が熱膨張した場合に、その影響を小さくすることができる。
【００１３】
ここで、タッチセンサにより当接するワークの研削部位のうち所定測定点は、非真円形状または偏心形状であるため、研削部位のうちより良い位置が特定されることが多い。その場合、タッチセンサをワークの研削部位のうち所定測定点に当接させるために、主軸の回転角度の割り出しが必要となる。
【００１４】
この場合、基準部材がワークに設けられている場合における本発明の研削盤において、ワークは、非真円形状または偏心形状からなる研削対象部と、中心軸が主軸中心軸に同軸上に位置する円筒状または円柱状からなるジャーナル部と、を備え、基準部材は、ジャーナル部であり、基準面は、ジャーナル部の外周面であることが好ましい。
【００１５】
これにより、基準面はジャーナル部の外周面のどこでもよいことになる。つまり、基準面については、主軸の回転角度の割り出しが必要ではない。この場合、タッチセンサにより当接する前に、予め、ワークの研削部位のうち所定測定点をタッチセンサに当接可能な主軸の回転角度を割り出しておく。その後、タッチセンサを基準面およびワークの研削部位の所定測定点に当接させる。つまり、基準面をジャーナル部の外周面とすることで、タッチセンサが両当接位置間を移動する際に、主軸を回転させる必要がない。従って、主軸を回転させることにより直接的に生じる熱変位の影響に加えて、主軸を回転させることによる時間の延長により生じる熱変位の影響を受けないようにできる。これにより、より高精度な研削加工が可能となる。
【００１６】
さらに、主軸中心軸に非常に近い位置に位置するジャーナル部の外周面を基準面とすることで、ワークに熱変位（熱膨張）の影響が生じたとしても、その影響を極力小さくできる。
【００１７】
また、例えばカムシャフトやクランクシャフトなどのように、複数のジャーナル部を備えているものがある。このように、ワークが複数のジャーナル部を備える場合、基準部材は、複数のジャーナル部のうち研削対象部に最も近接するジャーナル部とするのが好ましい。これにより、タッチセンサが両当接位置間を移動する時間および移動量を短くできる。そして、移動時間および移動量が長くなると、熱変位の影響を受けるおそれがある。つまり、移動時間および移動量を短くできることで、これに起因する熱変位の影響を抑制できる。
【００１８】
ジャーナル部と研削対象部とが近接している場合には、ワークがレストにより支持されているときに、両位置がレストによる押ししろの影響を同程度受けている。つまり、第一相対位置と第二相対位置との差分は、レストによる押ししろの影響をほとんど受けていない。これらの結果、ジャーナル部と研削対象部が近接している場合には、より高精度な研削加工が可能となる。
【００１９】
ここで、基準部材がワークに設けられている場合には、基準距離記憶部は、ワーク毎に予め測定された基準距離を記憶するとよい。通常、ワークは加工精度の影響などにより、僅かながら個体差がある。そのため、厳密な意味において、基準距離は、ワーク毎に異なっている。つまり、第一相対位置と第二相対位置との差分が、ワーク毎に異なる。そこで、基準距離記憶部に記憶される基準距離をワーク毎に予め測定したものとすることで、ワーク毎に適切に補正することができ、結果として高精度な研削加工ができる。この他に、例えば、ロット毎のワークの加工精度が安定している場合には、１ロット毎に１回の割合で、基準距離を測定してもよい。
【００２０】
ただし、基準距離を予め測定することは、多くの時間を要する。そこで、ワーク毎の基準面の加工精度が常に安定している場合には、基準距離記憶部は、基準距離の設計寸法の公差中央値を記憶してもよい。これにより、ワーク毎に基準距離を予め測定することなく、基準距離を決定できる。これは、寸法公差が十分に大きい場合には、有効な手段である。
【００２１】
また、本発明の研削盤において、所定測定点は、ワークの研削部位のうち、主軸中心軸と砥石軸とを通る平面上に位置するときに砥石により研削加工される点とするのが好ましい。つまり、当該所定測定点における接線は、主軸中心軸と当該所定測定点とを結ぶ線分に対して直交する。ここで、当該所定測定点は、研削誤差および測定誤差が生じにくい。従って、高精度な補正が可能となる。
【００２２】
特に、ワークは、ベース円部を有する形状からなり、所定測定点は、ベース円部とするとよい。このベース円部は、どの位置であっても、主軸中心軸と砥石軸とを通る平面上に位置するときに砥石により研削加工される。そして、ベース円部を研削加工する際には、砥石が位置決めされた状態となる。従って、ベース円部の加工精度は、非常に安定したものとなる。つまり、ベース円部を所定測定点とすることで、より高精度に補正が可能となる。
【００２３】
ここで、特許文献２に記載の定寸装置を備える研削盤においては、例えば、ベース円部が１８０度以上の範囲を有するワークの場合には、一対の測定子の両方がベース円部に当接し、ベース円直径を測定できる。しかし、ベース円部が１８０度未満の範囲であるワークに対しては、一対の測定子によりベース円直径を測定することができず、リフト量の加工誤差の影響を受けてしまう。これに対して、本発明の研削盤においては、ベース円部が１８０度未満の範囲であっても、タッチセンサにより確実にベース円部に当接することが可能となる。従って、特許文献２に記載の研削盤に比べても、より高精度に研削加工が可能となる。
【００２４】
<非真円形状または偏心形状のワークの研削方法>
上述においては、本発明を研削盤として把握した場合について説明した。この他に、本発明は、非真円形状または偏心形状のワークの研削方法としても把握することができる。
【００２５】
すなわち、本発明の研削方法は、非真円形状または偏心形状のワークを主軸中心軸回りに回転可能に支持する主軸と、砥石を主軸中心軸に平行な砥石軸回りに回転可能に支持し、主軸に対して主軸中心軸の直交方向に相対移動可能な砥石台と、砥石台に取り付けられるタッチセンサと、主軸中心軸から所定の基準距離の位置に配置される基準面を有する基準部材と、を備え、予め基準距離を記憶する基準距離記憶工程と、１つのワークの加工データに基づいて、主軸の回転角度および主軸と砥石台との相対位置を制御して、１つのワークの研削加工を行う第一研削工程と、第一研削工程における研削加工を中断して、基準面にタッチセンサを当接させた場合における主軸と砥石台との主軸中心軸の直交方向への第一相対位置と、ワークの研削部位のうち所定測定点にタッチセンサを当接させた場合における主軸と砥石台との主軸中心軸の直交方向への第二相対位置との差分を算出する差分算出工程と、基準距離および差分に基づいて加工データを補正する補正工程と、補正工程にて補正された加工データに基づいて主軸の回転角度および主軸と砥石台との相対位置を制御して、１つのワークの研削加工を再開する第二研削工程と、を備えることを特徴とする。
【００２６】
これにより、上述した本発明の研削盤が奏する効果と同一の効果を奏する。すなわち、安価なタッチセンサを用いて、熱変位の影響を低減できる測定結果を用いて、補正が可能となる。また、上述した本発明の研削盤における他の特徴部分について、本発明の研削方法に同様に適用できる。この場合の効果も、上記と同様の効果を奏する。
【発明を実施するための最良の形態】
【００２７】
次に、実施形態を挙げ、本発明をより詳しく説明する。
【００２８】
<第一実施形態>
第一実施形態の研削盤は、カムシャフトをワークとし、当該カムシャフトのカム部を研削加工する場合を例に挙げて説明する。この第一実施形態の研削盤の構成について、図１を参照して説明する。図１は、第一実施形態の研削盤の構成を示す図である。まず、ワークであるカムシャフトＷについて説明し、その後に、研削盤の機械構成、および、研削盤の制御ブロック構成について説明する。
【００２９】
図１に示すように、カムシャフトＷは、長尺軸状であり、複数のカム部Ｃ１〜Ｃ４（本発明における「研削対象部」に相当する）と、複数のジャーナル部Ｊ１、Ｊ２とを備えている。具体的には、図１の左側の２個のカム部Ｃ１、Ｃ２の間に、ジャーナル部Ｊ１が位置し、図１の右側の２個のカム部Ｃ３、Ｃ４の間に、ジャーナル部Ｊ２が位置している。
【００３０】
ここで、最終製品形状における、カム部Ｃ１〜Ｃ４と、ジャーナル部Ｊ１、Ｊ２の詳細な形状について、図２を参照して説明する。図２は、カム部Ｃ１〜Ｃ４およびジャーナル部Ｊ１、Ｊ２を軸方向（主軸中心軸Ｏ１方向）から見た状態の図である。図２に示すように、ジャーナル部Ｊ１、Ｊ２の外周面の径方向断面形状が、半径Ｒｊの円形からなる。つまり、ジャーナル部Ｊ１、Ｊ２は、円筒状または円柱状からなる。また、カム部Ｃ１〜Ｃ４は、半径Ｒｃのベース円部Ｂと、中心点からの距離がベース円部Ｂよりも大きくなる突出部Ｔとから構成される。ここで、ベース円部Ｂの中心と、ジャーナル部Ｊ１、Ｊ２の中心とは、一致している。また、ベース円部Ｂの半径Ｒｃは、ジャーナル部Ｊ１、Ｊ２の外周面半径Ｒｊよりも大きくされている。
【００３１】
ここで、以下において、第一実施形態の研削盤により研削加工される研削対象部は、カム部Ｃ１とする。一方、ジャーナル部Ｊ１、Ｊ２は、既に研削加工されている。
【００３２】
次に、研削盤の機械構成について説明する。図１に示すように、研削盤の機械構成は、ベッド１と、テーブル２と、Ｚ軸モータ３と、主軸台４と、主軸モータ５と、心押台６と、レスト７と、砥石台８と、Ｘ軸モータ９と、砥石１０と、砥石駆動用モータ１１と、タッチセンサ１２とから構成されている。ここで、図１に示す研削盤の機械構成において、左右方向がＺ軸方向であり、上下方向がＸ軸方向である。
【００３３】
ベッド１は、床面に据え付けられている。このベッド１上面の手前側（図１の下方）に、テーブル２がＺ軸方向に移動可能に支持されている。このテーブル２の移動は、ベッド１に取り付けられたＺ軸モータ３の駆動により行われる。主軸台４は、テーブル２上の図１の左側に載置され、主軸中心軸回り（Ｚ軸回り）に回転可能な主軸４ａを備えている。この主軸４ａの回転は、主軸台４に取り付けられた主軸モータ５の駆動により行われる。
【００３４】
心押台６は、主軸台４に対向するようにテーブル２上の図１の右側に載置される。そして、主軸４ａと心押台６とにより、カム部Ｃ１〜Ｃ４の中心軸およびジャーナル部Ｊ１、Ｊ２の中心軸が主軸中心軸に同軸上に位置するように、カムシャフトＷの両端が支持されている。つまり、カムシャフトＷが、ジャーナル部Ｊ１などの中心軸に一致する主軸中心軸回りに回転可能に支持されている。
【００３５】
レスト７は、テーブル２上の図１の下方に載置され、カムシャフトＷの軸方向中央、具体的にはジャーナル部Ｊ１を支持している。つまり、レスト７は、研削加工の際にカムシャフトＷが撓むのを防止している。
【００３６】
砥石台８は、ベッド１の上面のうち後方（図１の上方）に、Ｘ軸方向に移動可能に支持されている。この砥石台８の移動は、ベッド１に取り付けられたＸ軸モータ９の駆動により行われる。そして、砥石台８には、図１の左側に砥石１０を、砥石軸回りに回転可能に支持している。ここで、砥石軸は、主軸中心軸に平行である。また、砥石１０は、円盤形状をなしている。この砥石１０は、ベルトを介して、砥石駆動用モータ１１の駆動により回転する。
【００３７】
タッチセンサ１２は、先端のプローブ１２ａが図１の下方に位置するように、砥石台８に取り付けられている。このタッチセンサ１２のプローブ１２ａがワークに当接した場合に、当接信号を出力する。なお、タッチセンサ１２は、図１の紙面に垂直な軸回りに回転可能に砥石台１０に取り付けられており、研削加工の際に図１の実線にて示す位置に移動し、測定の際に図１の破線にて示す位置に移動する。
【００３８】
次に、研削盤の制御ブロック構成について図１を参照して説明する。研削盤の制御ブロック構成は、図１に示すように、基準距離記憶部２１と、各種データ記憶部２２と、制御部２３と、モータ駆動部２４と、位置検出部２５と、タッチセンサ駆動部２６と、差分算出部２７と、補正部２８とから構成される。
【００３９】
基準距離記憶部２１は、主軸中心軸から基準部材における基準面までの距離である基準距離を予め測定して、記憶する。ここで、以下に説明する第一実施形態の研削方法においては、基準部材は、研削対象部であるカム部Ｃ１に最も近接したジャーナル部Ｊ１とする。そして、基準面は、当該ジャーナル部Ｊ１の外周面である。そして、カムシャフトＷを主軸４ａと心押台６に取り付けた状態において、ジャーナル部Ｊ１の中心軸が主軸中心軸に同軸上に位置しているので、基準距離は、ジャーナル部Ｊ１の半径Ｒｊとなる。ここで、ジャーナル部Ｊ１の半径Ｒｊは、予め測定している。この測定は、ワークが変更されたら、その都度測定を行う。つまり、ワーク毎に、基準距離Ｒｊの測定を行う。
【００４０】
通常、ワークは加工精度の影響などにより、僅かながら個体差がある。そのため、厳密な意味において、基準距離Ｒｊは、ワーク毎に異なっている。そこで、ワーク毎に基準距離Ｒｊの測定を行い、基準距離記憶部２１に記憶することで、ワーク毎に正確な基準距離Ｒｊを用いることができる。結果として、後述する高精度な補正を行うことができるため、高精度な研削加工ができる。
【００４１】
各種データ記憶部２２は、ベース円部Ｂの最終半径Ｒｃ、突出部Ｔのプロフィルデータ、切込量、測定プログラムなどの各種データを入力し、記憶する。
【００４２】
制御部２３は、各種データ記憶部２２に記憶されているベース円部Ｂの半径Ｒ１、プロフィルデータおよび切込量などに基づいて加工データを作成し、当該加工データに基づいてモータ駆動部２４を制御する。このとき、位置検出部２５による検出結果を考慮して駆動部２４を制御する。この制御部２３は、さらに、後述する補正部２８により加工データが補正された場合には、補正された加工データに基づいてモータ駆動部２４を制御する。また、制御部２３は、各種データ記憶部２２に記憶されている測定プログラムに基づいて、タッチセンサ駆動部２６を制御する。
【００４３】
モータ駆動部２４は、制御部２３により制御され、Ｚ軸モータ３、主軸モータ５、Ｘ軸モータ９および砥石駆動用モータ１０を駆動する。つまり、加工データが実行されている場合には、モータ駆動部２４は、テーブル２のＸ方向位置、主軸４ａの回転角度、主軸４ａと砥石台８との相対位置を制御し、且つ、砥石１０を回転させて、カムシャフトＷのカム部Ｃ１の研削加工を行う。また、測定プログラムが実行されている場合には、モータ駆動部２４は、タッチセンサ１２による測定対象へ当接するように、主軸４ａ、テーブル２および砥石台８を移動する。
【００４４】
位置検出部２５は、Ｚ軸モータ３の回転角を入力してテーブル２のＺ軸座標値を検出し、Ｘ軸モータ９の回転角に基づいて砥石台８のＸ軸座標値を検出する。さらに、位置検出部２５は、主軸モータ５の回転角に基づいて、主軸４ａの回転角度を検出する。加工データが実行されている場合には、この検出結果は、制御部２３へフィードバックされる。また、測定プログラムが実行されている場合には、後述する差分算出部２７へ出力する。
【００４５】
タッチセンサ駆動部２６は、制御部２３により制御され、タッチセンサ１２を駆動する。具体的には、制御部２３にて測定プログラムが実行され、制御部２３から測定開始信号が出力された場合に、タッチセンサ１２を図１の右回り回転させて、プローブ１２ａを図１の下方に位置させる。そして、測定プログラムが終了した場合には、タッチセンサ１２を図１の左回りに回転させて、プローブ１２ａを図１の右側に位置させる。
【００４６】
差分算出部２７は、タッチセンサ１２のプローブ１２ａをジャーナル部Ｊ１に当接させた場合における砥石台８のＸ軸座標値Ｘ１を入力する。さらに、差分算出部２７は、タッチセンサ１２のプローブ１２ａをカム部Ｃ１のベース円部Ｂ（本発明の「所定測定点」に相当する）に当接させた場合における砥石台８のＸ軸座標値Ｘ２を入力する。以下、砥石台８のＸ軸座標値Ｘ１を「第一相対位置Ｘ１」と称し、砥石台８のＸ軸座標値Ｘ２を「第二相対位置Ｘ２」と称する。そして、差分算出部２７は、第一相対位置Ｘ１と第二相対位置Ｘ１との差分ΔＸ（以下、「測定差分ΔＸ」と称する）を算出する。
【００４７】
補正部２８は、まず、制御部２３にて作成された加工データに基づいて、現在のカム部Ｃ１のベース円部Ｂの理想半径Ｒ１を算出する。そして、補正部２８は、この理想半径Ｒ１と、基準距離記憶部２１に記憶されている基準距離Ｒｊとの理想上の差分ΔＸｒを算出する。そして、差分算出部２７にて算出された測定差分ΔＸと、理想上の差分ΔＸｒとのずれ量（ΔＸ−ΔＸｒ）を算出する。このずれ量（ΔＸ−ΔＸｒ）を補正量として、この補正量を制御部２３に出力し、加工データを補正する。
【００４８】
ここで、測定差分ΔＸと、理想上の差分ΔＸｒと、補正量との関係について、図３を参照して説明する。図３（ａ）に示すように、カム部Ｃ１のベース円部Ｂの理想半径をＲ１とする。つまり、この理想半径Ｒ１は、ベース円部Ｂの半径の目標値である。
【００４９】
そして、実際の研削加工に際しては、砥石摩耗により砥石径が変化することや、熱変位により主軸４ａと砥石台８とのＸ方向離間距離が拡大することなど、種々の要因により加工誤差を生じる。従って、図３（ｂ）に示すように、理想半径Ｒ１となるように研削加工したとしても、ベース円部Ｂの実際半径Ｒ２は、理想半径Ｒ１に対して（Ｒ２−Ｒ１）だけずれる。つまり、実際半径Ｒ２と理想半径Ｒ１とのずれ量（Ｒ２−Ｒ１）だけ、切込量を補正することができれば、ベース円部Ｂの実際半径Ｒ２が、理想半径Ｒ１に一致することができる。
【００５０】
ここで、理想半径Ｒ１は、ベース円部Ｂの半径の目標値であるので、加工データから得られる値である。つまり、理想半径Ｒ１は、既知の値である。これに対して、実際半径Ｒ２は、実際の値であるので、未知の値である。そこで、この未知の実際半径Ｒ２を得るために、測定差分ΔＸと基準距離Ｒｊを用いている。
【００５１】
まず、図３（ｃ）に示すように、タッチセンサ１２のプローブ１２ａをジャーナル部Ｊ１の外周面（基準面）に当接させて、第一相対位置Ｘ１を算出する。続いて、図３（ｄ）に示すように、タッチセンサ１２のプローブ１２ａをカム部Ｃ１のベース円部Ｂに当接させて、第二相対位置Ｘ２を算出する。ここで、便宜上、第一相対位置Ｘ１および第二相対位置Ｘ２は、Ｘ軸機械原点Ｏ３からそれぞれの状態における砥石軸Ｏ２までの距離とする。
【００５２】
そして、第一相対位置Ｘ１と第二相対位置Ｘ２との測定差分ΔＸは、実際半径Ｒ２から基準距離Ｒｊを減算した値に等しくなる。つまり、式（１）の関係を有する。
【００５３】
【数１】
2008279542.tif 000003
【００５４】
そこで、式（１）を式（２）のように変換することで、未知であった実際半径Ｒ２を算出することができる。
【００５５】
【数２】
2008279542.tif 000004
【００５６】
ここで、仮に、主軸４ａと砥石台８との間に熱変位が生じているとすると、タッチセンサ１２により測定される第一相対位置Ｘ１および第二相対位置Ｘ２のそれぞれは、熱変位の影響を受けた値となる。しかし、第一相対位置Ｘ１と第二相対位置Ｘ２との測定差分ΔＸは、熱変位の影響を受けたもの同士の差分であるため、熱変位の影響をほとんど排除されたものとなる。つまり、測定差分ΔＸは、主軸４ａと砥石台８との間に熱変位が生じている場合であっても、熱変位が生じていない場合であっても、同じ値となる。
【００５７】
また、基準部材であるジャーナル部Ｊ１は、研削対象部であるカム部Ｃ１に最も近接するジャーナル部である。従って、タッチセンサ１２によりジャーナル部Ｊ１を当接させた後に、カム部Ｃ１のベース円部Ｂに当接させるまでの移動時間および移動量を短くできる。従って、タッチセンサ１２が両当接位置間を移動する際に、熱変位が生じることをできるだけ抑制し、両測定結果が熱変位の影響を受けないようにできる。
【００５８】
さらに、ジャーナル部Ｊ１とカム部Ｃ１とが近接しているので、両位置は、レスト７による押ししろの影響を同程度受けている。つまり、測定差分ΔＸは、レスト７による押ししろの影響をほとんど受けていない。
【００５９】
さらに、基準部材であるジャーナル部Ｊ１の外周面は、研削対象部であるカム部Ｃ１の外周面よりも主軸中心軸の近くに位置する。このように、研削部位よりも主軸中心軸に近い位置に位置するジャーナル部Ｊ１の外周面を基準面とすることで、ワークＷに熱変位（熱膨張）の影響が生じたとしても、その影響を極力小さくできる。
【００６０】
さらに、基準部材としてワークＷのように主軸台４と心押台６の間に配置され主軸中心軸を跨いで配置される部材を用いることで、基準部材自体の熱膨張の影響を小さくすることができる。その理由について説明する。基準部材としてワークＷのジャーナル部Ｊ１を用いる場合、基準部材を含むワークＷの中心線が、主軸中心軸に一致している。そうすると、基準部材は、主軸中心軸を跨いで、タッチセンサ１２側と、タッチセンサ１２の反対側とに設けられることになる。そのため、基準部材自体に熱変位（熱膨張）が生じた場合に、基準部材を構成するワークＷは、主軸中心軸から、タッチセンサ１２側の部分と、タッチセンサ１２の反対側の部分とが、それぞれ均等に熱膨張することになる。従って、主軸中心軸から基準面までの離間距離は、ワークＷ全体の熱膨張の半分となる。一方、基準部材を例えばテーブル２に設けた場合に、基準部材自体が熱膨張すると、基準部材が熱膨張全体の影響をそのまま受ける。このように、ワークを基準部材として用いることで、基準部材自体が熱膨張した場合に、その影響を小さくすることができる。
【００６１】
このように、式（２）により得られるベース円部Ｂの実際半径Ｒ２は、熱変位の影響およびレスト７による押ししろの影響が排除された測定差分ΔＸと、元々熱変位の影響を受けていない基準距離Ｒｊとを用いることで、熱変位の影響を受けることのない正確な値となる。
【００６２】
このようにして、実際半径Ｒ２を得ることができれば、得られた実際半径Ｒ２と既知の理想半径Ｒ１とのずれ量（Ｒ２−Ｒ１）を算出することができ、このずれ量（Ｒ２−Ｒ１）を切込量の補正量とすることができる。
【００６３】
次に、第一実施形態の研削方法について、図４を参照して説明する。図４は、第一実施形態の研削方法を示すフローチャートである。図４に示すように、まず、基準距離Ｒｊを予め測定し、基準距離記憶部２１に入力して記憶させる（基準距離記憶工程）（ステップＳ１）。続いて、ベース円部Ｂの半径Ｒ１、突出部Ｔのプロフィルデータ、切込量、測定プログラムなどの各種データを各種データ記憶部２２に入力し、記憶させる（ステップＳ２）。
【００６４】
続いて、第一研削工程を開始する（第一研削工程）（ステップＳ３）。第一研削工程とは、第一実施形態においては、カム部Ｃ１の素材形状から、切込量Ｄが予め定められた中断切込量Ｄ１に達するまでの研削加工である。この第一研削工程においては、制御部２３が、各種データに基づいて、主軸４ａの回転角度および主軸４ａと砥石台８との相対位置を制御して研削加工を行う。そして、切込量Ｄが中断切込量Ｄ１に達したか否かを判断し、中断切込量Ｄ１に達していなければ、中断切込量Ｄ１に達するまで第一研削工程を継続する（ステップＳ４）。
【００６５】
切込量Ｄが中断切込量Ｄ１に達した場合には、第一研削工程を中断する（ステップＳ５）。続いて、制御部２３は、測定プログラムを実行する。まずは、制御部２３は、主軸４ａの角度の割り出しを行う（ステップＳ６）。
【００６６】
ここで、割り出し角度について、図５を参照して説明する。図５は、主軸４ａの角度を割り出した状態における、カム部Ｃ１を主軸中心軸方向から見た図である。図５に示すように、カム部Ｃ１のベース円部Ｂの所定測定点Ｐがタッチセンサ１２のプローブ１２ａに当接されるように、主軸４ａの角度を割り出す。このベース円部Ｂの所定測定点Ｐは、カム部Ｃ１の研削部位である外周面のうち、主軸中心軸Ｏ１と砥石軸Ｏ２とを通る平面状に位置するとき、砥石１０により研削加工される点である。つまり、所定測定点Ｐにおける接線は、主軸中心軸Ｏ１と所定測定点Ｐとを結ぶ線分に対して直交する。このような研削部位は、研削誤差および測定誤差が生じにくい部位である。従って、高精度な補正を行うことができる。
【００６７】
図４に戻り説明する。主軸４ａの角度の割り出しを行った後には、タッチセンサ１２のプローブ１２ａをジャーナル部Ｊ１の外周面（基準面）に当接させて、そのときのＸ軸座標値、すなわち第一相対位置Ｘ１を測定する（ステップＳ７）。続いて、タッチセンサ１２のプローブ１２ａをカム部Ｃ１のベース円部Ｂの所定測定点Ｐに当接させて、そのときのＸ軸座標値、すなわち第二相対位置Ｘ２を測定する（ステップＳ８）。
【００６８】
ここで、最初に主軸４ａの角度の割り出しを行った後に、第一相対位置Ｘ１と第二相対位置Ｘ２を測定している。上述したように、主軸４ａの角度の割り出しに際しては、カム部Ｃ１のベース円部Ｂの所定測定点Ｐがタッチセンサ１２のプローブ１２ａに当接されるようにした。しかし、ジャーナル部Ｊ１については全く考慮していない。これは、ジャーナル部Ｊ１の外周面の径方向断面を円形としているため、ジャーナル部Ｊ１の外周面（基準面）であればタッチセンサ１２のプローブ１２ａを当接させる点はどの位置でもよいからである。つまり、最初に主軸４ａの角度の割り出しを行い、両当接位置にタッチセンサ１２のプローブ１２ａを当接させる間に、主軸４ａの角度の割り出しを行わなくてよくなる。従って、両測定結果が、主軸４ａを回転させることにより直接的に生じる熱変位の影響に加えて、主軸４ａを回転させることによる時間の延長により生じる熱変位の影響を受けないようにできる。
【００６９】
続いて、差分算出部２７にて、第一相対位置Ｘ１と第二相対位置Ｘ２との測定差分ΔＸを算出する（差分算出工程）（ステップＳ９）。そして、補正部２８にて、測定差分ΔＸ、基準距離Ｒｊ、および、加工データにより得られるベース円部Ｂの理想半径Ｒ１に基づいて、ずれ量（Ｒ２−Ｒ１）を算出し、加工データを補正する（補正工程）（ステップＳ１０）。
【００７０】
続いて、第二研削工程を開始する（第二研削工程）（ステップＳ１１）。第二研削工程とは、第一実施形態においては、切込量Ｄが中断切込量Ｄ１の状態であるカム部Ｃ１の中断形状から、切込量Ｄが予め定められた最終切込量Ｄ２に達するまでの研削加工である。この第二研削工程においては、制御部２３が、各種データに基づいて、主軸４ａの回転角度および主軸４ａと砥石台８との相対位置を制御して研削加工を再開する。このときの加工データは、補正部２８により補正された加工データである。そして、切込量Ｄが最終切込量Ｄ１に達したか否かを判断し、最終切込量Ｄ２に達していなければ、最終切込量Ｄ２に達するまで第二研削工程を継続する（ステップＳ１２）。そして、切込量Ｄが最終切込量Ｄ２に達した場合に、第二研削工程を終了する（ステップＳ１３）。
【００７１】
以上説明したように、第一実施形態の研削盤による研削方法によれば、熱変位の影響を排除した測定結果に基づいて、加工誤差を算出することができる。従って、この加工誤差に相当する補正量に従って加工データを補正することで、カム部Ｃ１の最終形状が目標値に一致させることができる。
【００７２】
<その他の実施形態>
上記実施形態においては、基準距離Ｒｊを、ワーク毎に測定し、基準距離記憶部２１に記憶させた。この他に、基準距離記憶部２１に記憶させる基準距離Ｒｊは、基準距離Ｒｊの設計寸法の公差中央値としてもよい。これにより、ワーク毎に基準距離を予め測定することなく、基準距離を決定できる。これは、寸法公差が十分に大きい場合には、有効な手段である。また、ワーク毎に基準距離Ｒｊを測定するのではなく、例えば、１ロット毎に１回の割合で基準距離Ｒｊを測定してもよい。
【００７３】
また、上記実施形態においては、ワークとしてカムシャフトを例に挙げて説明したが、例えばクランクシャフトに対しても適用でき、非真円形状または偏心形状のワークに対してであれば適用可能である。
【００７４】
また、基準部材としてジャーナル部Ｊ１を適用したが、この他に、主軸台４に設けられたセンタ、心押台６に設けられたラムまたはテーブル２に固定された基準ブロックなどを適用することもできる。ただし、基準部材がワークであることの方が好ましい。
【図面の簡単な説明】
【００７５】
【図１】第一実施形態の研削盤の構成を示す図である。
【図２】カム部Ｃ１〜Ｃ４およびジャーナル部Ｊ１、Ｊ２を軸方向（主軸中心軸Ｏ１方向）から見た状態の図である。
【図３】測定差分ΔＸと、理想上の差分ΔＸｒと、補正量との関係について説明する図である。
【図４】第一実施形態の研削方法を示すフローチャートである。
【図５】主軸４ａの角度を割り出した状態における、カム部Ｃ１を主軸中心軸方向から見た図である。
【符号の説明】
【００７６】
１：ベッド、  ２：テーブル、  ３：Ｚ軸モータ、  ４：主軸台、  ４ａ：主軸、
５：主軸モータ、  ６：心押台、  ７：砥石台、  ８：砥石、
９：Ｘ軸モータ、  １０：砥石駆動用モータ、  １１：砥石駆動用モータ、
１２：タッチセンサ、  １２ａ：プローブ、
２１：基準距離記憶部、  ２２：各種データ記憶部、  ２３：制御部、
２４：モータ駆動部、  ２５：位置検出部、  ２６：タッチセンサ駆動部、
２７：差分算出部、  ２８：補正部、
Ｗ：カムシャフト（ワーク）、
Ｃ１〜Ｃ４：カム部、  Ｊ１、Ｊ２：ジャーナル部、
Ｂ：ベース円部、  Ｔ：突出部
【図１】
2008279542.tif 000005
【図２】
2008279542.tif 000006
【図３】
2008279542.tif 000007
【図４】
2008279542.tif 000008
【図５】
2008279542.tif 000009